(57)【要約】【課題】掬い部が、置かれた位置に接触することなく支持され、握りやすい把持部を有する炊飯器の補助具を提供すること。【解決手段】上記の課題を解決するためには、炊飯器内部に保持されて米を炊飯調理する内釜から、炊飯調理済みの米であるご飯を掬う炊飯器の補助具において、補助具は、ご飯を掬う部位となる掬い板部と、使用者が握る把持部を有し、把持部は、掬い板部に近い第１の把持部と端側の第２の把持部からなり、第１の把持部と第２の把持部の接続位置で折れ曲がるよう構成され、第２の把持部は、補助具全体を支持する脚部となるように構成すればよい。【選択図】図１
2017046723.tif 000002
【特許請求の範囲】
【請求項１】
炊飯器内部に保持されて米を炊飯調理する内釜から、炊飯調理済みの米であるご飯を掬う炊飯器の補助具において、
前記補助具は、ご飯を掬う部位となる掬い板部と、使用者が握る把持部を有し、
前記把持部は、前記掬い板部に近い第１の把持部と端側の第２の把持部からなり、前記第１の把持部と前記第２の把持部の接続位置で折れ曲がるよう構成され、
前記第２の把持部は、補助具全体を支持する脚部となることを特徴とする炊飯器の補助具。
【請求項２】
前記第１の把持部と前記第２の把持部は軸により接続され、前記第１の把持部に対して前記第２の把持部は回動することを特徴とする請求項１に記載の炊飯器の補助具。
【請求項３】
前記第１の把持部に対する前記第２の把持部の回転角度を規制する規制壁を備えたことを特徴とする請求項２に記載の炊飯器の補助具。
【請求項４】
前記規制壁による前記第１の把持部に対する前記第２の把持部の回転角度の規制範囲は、前記掬い部の先端を上方に向けた状態で、前記第２の把持部が補助具全体を支持することが可能な位置であることを特徴とする請求項３に記載の炊飯器の補助具。
【発明の詳細な説明】
【技術分野】
【０００１】
本発明は、炊飯器等からご飯を掬う炊飯器の補助具であるしゃもじに関する。
【背景技術】
【０００２】
従来から、炊飯器の補助具であって、内釜内部から炊き上がったご飯を掬うしゃもじにおいて、ご飯を掬う部分となる掬い部が、食卓などに直接触れずに起立した状態で保持することができるものがある。
このようなしゃもじは、ご飯を掬う際に握る部位となる握り部（把持部）の下端に突出部を形成し、この突出部の下面に平坦部を形成して支持部を形成されている。このように、しゃもじの下端に平坦部を形成することで、しゃもじを起立した状態で保持することができるように構成されている（例えば、特許文献１参照）。
【先行技術文献】
【特許文献】
【０００３】
【特許文献１】登実第３０６０８１３号公報（図１）
【発明の概要】
【発明が解決しようとする課題】
【０００４】
しかしながら、従来の構成では、しゃもじは、掬い部が置かれた位置に接することなく自立可能であるが、握り部の下端に突出部を形成することで支持部を形成しているので、握り部を握った際に突出部が邪魔になり、握りにくいという課題がある。
【０００５】
本発明は、上記のような課題を解決する為になされたもので、掬い部が、置かれた位置に接触することなく支持され、握りやすい把持部を有する炊飯器の補助具を提供することを目的とする。
【課題を解決するための手段】
【０００６】
上記の課題を解決するためには、炊飯器内部に保持されて米を炊飯調理する内釜から、炊飯調理済みの米であるご飯を掬う炊飯器の補助具において、補助具は、ご飯を掬う部位となる掬い板部と、使用者が握る把持部を有し、把持部は、掬い板部に近い第１の把持部と端側の第２の把持部からなり、第１の把持部と第２の把持部の接続位置で折れ曲がるよう構成され、第２の把持部は、補助具全体を支持する脚部となるように構成すればよい。
【発明の効果】
【０００７】
本発明によれば、掬い部が置かれた位置に接触することなく支持され、握りやすい把持部を有する炊飯器の補助具を得ることができる。
【図面の簡単な説明】
【０００８】
【図１】実施の形態１に係るしゃもじを示す図（ａ）正面図、（ｂ）側面図、（ｃ）背面図
【図２】実施の形態１に係るしゃもじの分解図（ａ）正面図、（ｂ）側面図、（ｃ）Ａ−Ａ断面図
【図３】実施の形態１に係るしゃもじの各状態を示す図
【図４】実施の形態１に係るしゃもじを直立させた状態を示す図
【図５】実施の形態２に係るしゃもじを示す図（ａ）正面図、（ｂ）側面図、（ｃ）背面図
【図６】実施の形態２に係るしゃもじの分解図
【図７】実施の形態３に係るしゃもじの分解図
【図８】実施の形態３に係るしゃもじの各状態を示す図
【発明を実施するための形態】
【０００９】
（実施の形態１）
以下、図１〜図４を参照して、実施の形態１を説明する。
しゃもじ１０は、炊飯器の内釜に保持されるご飯や、炊き上がったご飯を保持するお櫃からご飯を掬うものであり、ご飯を掬う位置となる掬い部１１と、使用者が握る把持部を有する。把持部は、第１の把持部１２と、第２の把持部１３を有する。
掬い部１１は、外形が丸みを帯びた曲線で形成されており、周縁から内側に凹む凹形状とるすことで、ご飯を載せる掬い面１１ａが形成されている。
【００１０】
次に、第１の把持部１２は、掬い部１１に接続して下方向に向けて伸びる使用者が握ることが可能な幅と厚さがある棒状の部位である。そして、第１の把持部１２の表面には、凹凸（図示せず）が形成されており、使用者が握った際に滑り止めとなる。尚、掬い部１１と第１の把持部１２は、耐熱性の合成樹脂（例えば、ポリプロピレン樹脂）による一体成型により形作られている。
【００１１】
次に、第１の把持部１２の下端部には、下方向に向けて開口する凹部１２ａが形成されている。この凹部１２ａは、第１の把持部１２の下端部が二股形状となるように形成された右下端部１２ｂと左下端部１２ｃの間の部分である。
また、右下端部１２ｂ及び左下端部１２ｃは、左右対称形状であり、それぞれ下方向に向けて開口する右軸受１２１ｂと左軸受１２１ｃが形成されている。右軸受１２１ｂと左軸受１２１ｃは、左右方向に伸びる軸を受けるように構成されている。
【００１２】
次に、第２の把持部１３は、第１の把持部１２の下側に位置し、しゃもじ１０の全体の下端部を形成する。
第２の把持部１３の形状は、図中、上辺と左辺と右片は直線的に形成されており、上辺と対向する下片は丸みを帯びた形状に形成されている。また、第２の把持部１３の幅と厚さは、第１の把持部１２の幅Ｗと厚さＤとほぼ同じであり、第１の把持部１２から連続的に外形状が繋がる形状に構成されている。また、第２の把持部１３の表面は、平らな形状である。
【００１３】
更に、第２の把持部１３は、上辺に上方に向けて突出する突出部１３ａが形成されている。そして、突出部１３ａの右側面から右軸１３ｂ、左側面から左軸１３ｃが突出して設けられている。
突出部１３ａは、左軸１３ｃ、右軸１３ｂを支持する軸支持部となっている。また、突出部１３ａは、左右対称形状となっている。
【００１４】
この様な第２の把持部１３は、右軸受１２１ｂと左軸受１２１ｃの下方向に向く開口から、それぞれ右軸１３ｂと左軸１３ｃを挿入して、右軸受１２１ｂに右軸１３ｂ、左軸受１２１ｃに左軸１３ｃを軸支させる。
これにより、第２の把持部１３は、第１の把持部１２に対して、軸受位置を中心に回動自在に、第１の把持部１２の下端部に取り付けられた状態となる。
【００１５】
尚、第２の把持部１３は、第１の把持部１２に対して回動自在であるが、第２の把持部１３が第１の把持部１２に対して任意の位置（角度）に保持される程度に、左右の軸受１２１ｂ，１２１ｃは、左右の軸１３ｂ，１３ｃを軸支している。
また、第２の把持部１３は、掬い部１１及び第１の把持部１２と同じ材料で構成されている。
【００１６】
以上のように構成することにより、次のようにしゃもじ１０を扱うことが可能となる。
図３〜図４を参照すると、まず、第２の把持部１３を、第１の把持部１２から連続的に外形状が繋がる形状となる第１の位置にした場合（図１〜図２の状態）、第１の把持部１２と第２の把持部１３は、連続的に外形状が繋がる状態であることから、一体的に把持部を形成する。
これにより、第１の位置に第２の把持部１３が位置している状態では、使用者は、第１の把持部１２と第２の把持部１３により形成される把持部を握ることで、しゃもじ１０を用いてご飯を掬うことができる。
【００１７】
次に、第１の把持部１２と第２の把持部１３のなす角θが９０度以下となる第２の位置又は第３の位置に、第２の把持部１３を位置させた場合、しゃもじ１０は、第２の把持部１３を支持脚にして、置き位置に自立可能な形態となる。
特に、第１の把持部１２と第２の把持部１３のなす角θが９０度以下となる位置に、第２の把持部１３を回動させて位置することができる（第２の把持部１３は第１の把持部１２に対して１８０度以上回転する）ので、重心位置が支持脚となる第２の把持部１３の上方に近づき、しゃもじ１０全体を、安定して自立させることができる。
また、第２の把持部１３の表面は、平坦であることから、置き位置に安定して置くことができ、しゃもじ１０全体を安定して支持することができる。
【００１８】
以上のように、本実施の形態のしゃもじ１０であれば、第１の把持部１２に対して第２の把持部１３を回動させることで、第２の把持部１３を支持脚にして、置き位置に自立可能な形態にすることができる。
更に、第２の把持部１３を、第１の把持部１２から連続的に外形状が繋がる形状となる第１の位置にすることで、第２の把持部１３を使用者が握るときに、邪魔にならない形態にすることができ、ご飯を掬いやすくすることが可能である。
【００１９】
（実施の形態２）
次に、図５〜図６を参照して、実施の形態２を説明する。尚、実施の形態１と同様の構成については同じ符号を付し、説明を省略する。
第１の把持部１２の下端となる部分には、凹部１２ａの背面側を塞ぐように規制壁１２ｄが設けられている。つまり、前後方向に開放していた凹部１２ａが、背面側において規制壁１２ｄで封鎖された構成となる。
【００２０】
以上のように構成することにより、次のようにしゃもじとして扱うことが可能となる。
使用者が把持部を握りやすい形態にする際に、第２の把持部１３を回転させることで、突出部１３ａが規制壁１２ｄに接することで動きが規制される。この状態で、第２の把持部１３は、第１の把持部１２と連続的に外形状が繋がる位置となり、使用者が握りやすい棒状の把持部を構成できる。
【００２１】
つまり、規制壁１２ｄを設けて、第１の把持部１２に対する第２の把持部１３の回転角度を規制することで、第１の把持部１２に対して第２の把持部１３の位置が決まり、使用者が把持部を握りやすい形態とすることができる。
尚、この回転角度の規制範囲は、把持部を握りやすくする上記の状態と、掬い部１１の先端を上方に向けた状態で、第２の把持部１３がしゃもじ全体を支持することが可能な位置となるように設定される。
【００２２】
（実施の形態３）
次に、図７〜図８を参照して、実施の形態３を説明する。尚、実施の形態２と同様の構成については同じ符号を付し、説明を省略する。
第１の把持部１２の右下端部１２ｂ及び左下端部１２ｃには、それぞれ左右方向に貫通する第１の軸開口１２ｈが開口している。また、第２の把持部１３の突出部１３ａには、左右方向に貫通する第２の軸開口１３ｈが開口している。
【００２３】
そして、第１の把持部１２の凹部１２ａに、第２の把持部１３の突出部１３ａが入り込み、第１の軸開口１２ｈと第２の軸開口１３ｈが左右方向に対向することで、互いの軸開口が連通した状態となる。
このように、第１の軸開口１２ｈと第２の軸開口１３ｈが連通した状態で、それぞれの軸開口を貫くように軸１４が設けられる。
【００２４】
ここで、第１の把持部１２と第２の把持部１３の間には、ねじりバネ１５が介在する。ねじりバネ１５は、第１の把持部１２に形成された第１の把持部側固定穴１２Ｊに一端が固定され、第２の把持部１３に形成された第２の把持部側固定穴１３Ｊに他端が固定されている。そして、ねじりバネ１５のバネ開口１５ｈは、第１の軸開口１２ｈと第２の軸開口１３ｈの間に挟まれた状態で、連通した状態となる。
従って、第１の軸開口１２ｈと第２の軸開口１３ｈを貫く軸１４は、バネ開口１５ｈも貫いた状態となる。
【００２５】
このように、ねじりバネ１５は、軸１４に取り付けられた状態で、一端が第１の把持部１２、他端が第２の把持部１３に固定されている。
また、ねじりバネ１５が通常の状態（バネがねじられていない状態）では、第２の把持部１２と第１の把持部１３のなす角θが９０度以下となる第２の位置となり、しゃもじ１０は自立可能な形態となる。
【００２６】
また、使用者が把持部を握った時は、ねじりばね１５は、第２の把持部１３の動かされると共に広げられ、把持部が握りやすい棒状の形態へと変形する。使用者が把持部を話すと、ねじりバネの復元力により、自立可能な状態へともどる。
尚、把持部が握りやすい棒状の形態において、バネの復元力により戻らないように、保持可能に構成しても良い。
【符号の説明】
【００２７】
１０  しゃもじ、１１  掬い部、１２  第１の把持部、１３  第２の把持部、１４  軸、１５  ねじりばね
【図１】
2017046723.tif 000003
【図２】
2017046723.tif 000004
【図３】
2017046723.tif 000005
【図４】
2017046723.tif 000006
【図５】
2017046723.tif 000007
【図６】
2017046723.tif 000008
【図７】
2017046723.tif 000009
【図８】
2017046723.tif 000010